(57)【要約】      （修正有）【課題】組立作業を迅速かつ容易に行い、良好な防水効果を確保すること可能にする液位センサを提供する。【解決手段】液位センサ１００は、本体、磁石４０、リードスイッチ２０および少なくとも一つの防水キャップ１４を備える。本体は開口部１２ａと、開口部１２ａと連絡するように内部に形成されたチャンバー１３とを有する。浮子６０は本体上に装着され、磁石４０は本体上に装着され、リードスイッチ２０は本体のチャンバー１３の内部に装着され、防水キャップ１４はチャンバー１３を密封するため本体の開口部１２ａを塞ぐ。防水キャップ１４は、二つの電線１０１の貫通に用いる少なくとも一つの穿孔１４ａを有し、二つの電線１０１は両端が制御装置およびリードスイッチ２０に別々に電気的に接続される。【選択図】図３
0003155004.tif 000002
【実用新案登録請求の範囲】
【請求項１】
水槽内に装着され、二つの電線によって外部の制御装置に電気的に接続される液位センサであって、
開口部及び該開口部と連絡するように内部に形成されたチャンバーを有する本体と、
該本体上に装着される浮子と、
前記本体上に装着される磁石と、
前記本体の前記チャンバーの内部に装着されるリードスイッチと、
前記チャンバーを密封するため前記本体の前記開口部を閉じる防水キャップと、を備え、
前記防水キャップは、二つの前記電線の貫通に用いる少なくとも一つの穿孔を有し、二つの前記電線は両端が前記制御装置および前記リードスイッチに別々に電気的に接続されることを特徴とする液位センサ。
【請求項２】
前記本体は、
座管と、該座管の下方に連結される直管とを有し、前記座管の頂端が前記本体の前記開口部と形成され、前記直管の内部が前記本体の前記チャンバーと形成され、前記直管は外壁と一体成型された少なくとも一つストッパーを有する基座と、
該基座上を移動可能なように装着され、かつ前記ストッパーに突き当たって止められ、かつ一体に連結される上管部および下管部を有し、前記上管部は前記基座の前記直管上に装着され、前記下管部は前記直管の下方に位置付けられるスリーブ管と、を有し、
前記浮子は、前記スリーブ管の前記下管部に連結され、
前記磁石は、前記スリーブ管の上管部の外周に装着され、
前記リードスイッチは、前記基座の前記チャンバー内に装着され、
前記防水キャップは、前記基座の前記直管の頂端を閉じることを特徴とする請求項１に記載の液位センサ。
【請求項３】
前記スリーブ管の前記下管部は、少なくとも一つの中空部を有し、前記ストッパーは前記中空部に突出し、前記スリーブ管は前記ストッパーに突き当たって止められることを特徴とする請求項１に記載の液位センサ。
【請求項４】
前記スリーブ管の前記下管部は、二つの下板を有し、前記中空部は二つの前記下板の間に形成され、二つの前記下板は末端のフックが前記浮子を引っ掛けて止めることを特徴とする請求項３に記載の液位センサ。
【請求項５】
前記液位センサは、さらに前記磁石の収容に用いる磁石蓋を有し、前記スリーブ管の前記上管部は、二つの上板を有し、前記磁石蓋は二つの上板によって係止られることを特徴とする請求項２に記載の液位センサ。
【請求項６】
前記防水キャップを押さえ、かつ二つの前記電線を貫通させることが可能な押板をさらに有することを特徴とする請求項１に記載の液位センサ。
【請求項７】
前記押板および二つの前記電線を押さえる上蓋をさらに有することを特徴とする請求項６に記載の液位センサ。
【請求項８】
前記ストッパーは、前記直管の外壁に突出して形成された突出ブロックであることを特徴とする請求項１に記載の液位センサ。
【請求項９】
前記防水キャップは、高分子材料から構成されることを特徴とする請求項１に記載の液位センサ。
【請求項１０】
前記防水キャップは、ゴムから構成されることを特徴とする請求項９に記載の液位センサ。
【請求項１１】
前記本体は、直管を有し、前記直管の頂端は本体の開口部と形成され、前記直管の内部は本体のチャンバーと形成され、前記磁石は前記浮子と結合し、両者は前記直管上を同調移動可能なように装着され、前記防水キャップは前記直管の頂端を閉じることを特徴とする請求項１に記載の液位センサ。
【考案の詳細な説明】
【技術分野】
【０００１】
本考案は、センサに関し、詳しくは液位センサに関するものである。
【背景技術】
【０００２】
液位センサは、液位変化を検出すると信号を発し、制御装置（モーターまたは加熱器など）を起動することが可能である。詳しく言えば、液位が特定の水位に達すると、液位センサはモーターを迅速に起動し、吸水を行なうことによって水槽内の水位を維持する、或いは加熱器を起動し、加熱を行なうことによって水槽内の温度を維持することが可能である。
【０００３】
図１に示すように、従来の液位センサ１は、直管２および直管２上を移動可能なように装着される浮子３を備える。直管２は内部にリードスイッチ４を有し、直管２の頂端２ａは樹脂の注入によって防水処理される。浮子３は内部に磁石３ａを有する。水槽内の水位が上昇する時、磁石３ａは浮子３に伴って上昇する。磁石３ａがリードスイッチ４によって検出されると、液位センサ１はモーターまたは加熱器を起動し、水槽の液位または温度を調整する。
【０００４】
従来の液位センサ１は、直管２の頂端２ａに樹脂を注入することによって防水処理を行なうため、樹脂を注入し、凝固させる作業が必要なだけでなく手間がかかる。図２に示すように、別の従来の液位センサ５は、相対的に移動可能なように合わさる基座６およびスリーブ管７を備え、スリーブ管７の頂端と底端に磁石8と浮子９を別々に有することによって液位検出機能を構成する。液位センサ５は、依然として基座６の頂端６ａに樹脂を注入することによって防水処理を行なうため、樹脂を注入し、凝固させる作業が必要なだけでなく手間がかかる。また、従来のスリーブ管７を定点まで移動させる際、スリーブ管７を止めるため、ピン７ａを増設する必要がある。従って、液位センサ５は、部品および加工が多く材料コストが高いという欠点を有する。
【考案の概要】
【考案が解決しようとする課題】
【０００５】
本考案の主な目的は、組立作業を迅速かつ容易に行い、良好な防水効果を確保すること可能にする液位センサを提供することである。
【課題を解決するための手段】
【０００６】
上述の目的を達成するために、本考案による液位センサは、水槽内に装着され、二つの電線によって外部の制御装置に電気的に接続され、かつ本体、磁石、リードスイッチおよび少なくとも一つの防水キャップを備える。本体は開口部と、開口部と連絡するように内部に形成されたチャンバーとを有し、浮子は本体上に装着され、磁石は本体上に装着され、リードスイッチは本体のチャンバーの内部に装着され、防水キャップはチャンバーを密封するため本体の開口部を塞ぐ。防水キャップは、二つの電線の貫通に用いる少なくとも一つの穿孔を有し、二つの電線は両端が制御装置およびリードスイッチに別々に電気的に接続される。本考案は、防水キャップで本体の開口部を塞ぎ、電線のみを通すことによって防水効果を達成するため、従来の樹脂注入工法と比べて、作業が迅速かつ容易である。
【図面の簡単な説明】
【０００７】
【図１】従来の液位センサを示す模式図である。
【図２】別の従来の液位センサを示す模式図である。
【図３】本考案の一実施形態による液位センサの断面図である。
【図４】図３の別の角度から見た外観図である。
【図５】本考案の一実施形態による液位センサが低水位に位置する時の側面図である。
【図６】本考案の一実施形態による液位センサが高水位に位置する時の側面図である。
【図７】本考案の一実施形態による液位センサに二つの防水キャップが装着された状態を示す模式図である。
【図８】本考案の別の実施形態による液位センサの断面図である。
【考案を実施するための形態】
【０００８】
本考案の技術特徴を詳細に説明するために、以下の実施形態および図面に基づいて説明を進める。
図３から図６に示すのは本考案の一実施形態による液位センサ１００である。液位センサ１００は、水槽２００内に装着され、二つの電線１０１によって外部の制御装置３００（本実施形態はモーターを例として使用する）に電気的に接続される。液位センサ１００は、基座１０、リードスイッチ２０、スリーブ管３０、磁石４０、磁石蓋５０および浮子６０を備える。液位センサ１００の本体は基座１０およびスリーブ管３０から構成される。
【０００９】
基座１０は、互いに連絡する直管１１と、直管１１の上方において直管１１と一体化して一回り大きく成型された座管１２とを有する。座管１２は、頂端に開口部１２ａを有する。直管１１は外壁に突出状に一体成型された二つのストッパー１１１を有し、内部に開口部１２ａと互いに連絡するように形成されたチャンバー１３を有する。リードスイッチ２０はチャンバー１３の内部に装着される。二つの電線１０１は座管１２および直管１１を貫通し、その両端がリードスイッチ２０と制御装置３００に電気的に接続される。
【００１０】
本実施形態は、防水および防濡効果を向上させるために、防水キャップ１４で座管１２の頂端上の開口部１２ａを塞ぐ。防水キャップ１４は二つの穿孔１４ａを有する。防水キャップ１４は高分子材料から構成され、特にゴム材質から構成されることが好ましいが、材質はこれに限らない。かつ防水キャップ１４は、押板１５と組み合わせることが可能である。押板１５は防水キャップ１４を押さえ、防水キャップ１４を圧迫して変形させることによって座管１２を緊密に密封することが可能である。かつ二つの電線１０１しか防水キャップ１４の二つの穿孔１４ａを介して液位センサ１００の内部に入り込むことができないため、防水キャップ１４によって外部から隔離することが可能である。押板１５および防水キャップ１４はさらに座管１２上に連結される上蓋１６と組み合せることが可能である。上蓋１６は押板１５および二つの電線１０１を押さえ、二つの電線１０１を湾曲させて外部へ延伸することによって二つの電線１０１の引張強度を上昇させることが可能なだけでなく、電線１０１が外力から引っ張られて短絡または損壊してしまうという現象を大幅に減少させることが可能である。上蓋１６は、押板１５を圧迫し、防水キャップ１４を押さえることによって防水および防濡効果を向上させることも可能である。
【００１１】
上述したとおり、本考案は、従来の樹脂注入工法の代わりに防水キャップ１４を採用することによって防水効果を達成するため、樹脂を注入し、凝固させる作業を行なう必要がない。従って作業時間を確実に短縮することが可能である。使用者は、防水キャップ１４が外力によって変形することによって組立を容易に行なうことが可能であるため、作業時間を省き、作業の便宜をはかることが可能となる。
【００１２】
スリーブ管３０は、一体成型された上管部３１および下管部３４を有する。上管部３１は基座１０の直管１１を移動可能なように装着され、下管部３４は直管１１の下方に位置付けられる。本実施形態において、上管部３１は一体成型された二つの縦方向の上板３２および二つの横方向の突出リブ３３を有する。上板３２は末端から外部へ延伸されて形成されたフック３２１を有する。二つの上板３２はフック３２１によって磁石４０の収容に用いる磁石蓋５０を固定することによって、磁石４０をスリーブ管３０の外周に固定する。
【００１３】
スリーブ管３０の下管部３４は、互いに向かい合う二つの下板３５を有する。下板３５は末端から外部へ延伸されて形成されたフック３５１を有する。フック３５１は浮子６０を引っ掛けて止めることが可能である。二つの下板３５の間は互いに向かい合う二つの中空部３６を有する。二つの中空部３６は基座１０の二つのストッパー１１１の突出に用いられるため、材料コストを削減することが可能である。
【００１４】
上述したのは、本考案による液位センサ１００の部品および相関位置についての説明である。
【００１５】
図５に示すように、液面が低水位に位置する際、浮子６０が液面に接触していないため、スリーブ管３０は重力の吸引を受け、二つの突出リブ３３を二つのストッパー１１１に接触させる位置まで落下する。このとき磁石４０はちょうどリードスイッチ２０に向き合うため、リードスイッチ２０は磁性反応を生じ、ＯＮ状態を維持し、制御装置３００を静止させる（例えば吸水作動を生じさせない）ことが可能である。図６に示すように、液面の水位が上昇し、浮子６０が液面に接触し、かつ浮子６０とスリーブ管３０が液面とともに上昇する際、磁石４０とリードスイッチ２０の位置がずれるため、リードスイッチ２０は磁性反応を生じさせず、ＯＦＦ状態に切り替わり、制御装置３００を起動する（例えば吸水を開始する）ことによって液面を降下させることが可能である。従来のものと比べてみると、本考案はピン７ａの代わりに一体成型されたストッパー１１１を使用するため、部品、加工およびコストを確実に減少させ、経済効果を有することが可能である。かつ本考案は、従来の樹脂注入工法の代わりに防水キャップ１４を使用することによって防水効果を達成するため、樹脂を注入し、凝固させる作業が必要ではない。従って作業時間を短縮することが可能なだけでなく、良好な防水効果を保持することが可能である。また押板１５を配置することによって防水キャップ１４の防水効果および電線１０１の引張強度を強化することが可能であるため、本考案による液位センサは使用上の需要により適切に応えることが可能となる。
【００１６】
本考案は、一つ以上の防水キャップ１４を配置することも可能である。図７に示す防水キャップ１４’、１４”が一例である。二つの防水キャップ１４’、１４”は上下に重なり、上方の上蓋１６’によって圧迫されるため、防水および防濡効果を達成することが可能である。
【００１７】
図８に示すのは本考案の別の実施形態による液位センサ１００’である。その本体は直管７０を有する。直管７０は頂端に開口部７１を有し、内部にリードスイッチ７３の装着に用いるチャンバー７２を有する。本実施形態においての磁石７４は浮子７５の内部に配置され、かつ液面の上昇または降下に伴って移動可能なように直管７０に装着される。かつ、直管７０の開口部７１が防水キャップ７６、押板７７および上蓋７８によって閉じられることが本実施形態の重点であるため、従来のものと比べてみると、本実施形態は樹脂を注入する作業を省き、作業時間を確実に短縮することが可能であり、かつ防水キャップ７６が外力によって変形することによって組立を容易に完成させることが可能であるため、作業時間を短縮し、作業の便宜をはかり、かつ二つの電線１０１の引張強度を上昇させることが可能となる。
【００１８】
上述したのは本考案の実施可能な好ましい例に過ぎないため、本考案の説明書および請求項の記載に基づいて構造に効果が同等な変更を行うことは、本考案の請求範囲に属するべきである。
センサセンサセンサセンサセンサセンサセンサ    
【符号の説明】
【００１９】
１０：基座、１１：直管、１１１：ストッパー、１２：座管、１２ａ：開口部、１３：チャンバー、１４：防水キャップ、１４’：防水キャップ、１４”：放水キャップ、１４ａ：穿孔、１５：押板、１６：蓋体、１６’：蓋体、２０：リードスイッチ、３０：スリーブ管、３１：上管部、３２：上板、３２１：フック、３３：突出リブ、３４：下管部、３５：下板、３５１：フック、３６：中空部、４０：磁石、５０：磁石、６０：浮子、７０：直管、７１：開口部、７２：チャンバー、７３：リードスイッチ、７４：磁石、７５：浮子、７６：防水キャップ、７７：押板、７８：蓋体、１００：液位センサ、１００’：液位センサ、１０１：電線、２００：水槽、３００：制御装置
【図１】
0003155004.tif 000003
【図２】
0003155004.tif 000004
【図３】
0003155004.tif 000005
【図４】
0003155004.tif 000006
【図５】
0003155004.tif 000007
【図６】
0003155004.tif 000008
【図７】
0003155004.tif 000009
【図８】
0003155004.tif 000010
【手続補正書】
【提出日】平成21年8月20日(2009.8.20)
【手続補正１】
【補正対象書類名】実用新案登録請求の範囲
【補正対象項目名】請求項３
【補正方法】変更
【補正の内容】
【請求項３】
前記スリーブ管の前記下管部は、少なくとも一つの中空部を有し、前記ストッパーは前記中空部に突出し、前記スリーブ管は前記ストッパーに突き当たって止められることを特徴とする請求項２に記載の液位センサ。
【手続補正２】
【補正対象書類名】実用新案登録請求の範囲
【補正対象項目名】請求項４
【補正方法】変更
【補正の内容】
【請求項４】
前記スリーブ管の前記下管部は、二つの下板を有し、前記中空部は二つの前記下板の間に形成され、二つの前記下板は末端のフックが浮子を引っ掛けて止めることを特徴とする請求項３に記載の液位センサ。
【手続補正３】
【補正対象書類名】実用新案登録請求の範囲
【補正対象項目名】請求項８
【補正方法】変更
【補正の内容】
【請求項８】
前記ストッパーは、前記直管の外壁に突出して形成された突出ブロックであることを特徴とする請求項２に記載の液位センサ。